(57)【要約】      （修正有）【課題】周知のバギーの折りたたみセットは、骨組を展開する際に、留め金を利用して鉄片を留め、支えの骨組を展開した状態に固定し、折りたたむ際には、足で操作し、力いっぱい上向きに折りたたみセットを起こして、骨組を折りたためる状態にしなければならず、操作者はハンドルの管も押さなければ、骨組を徹底した折りたたみ状態にすることはできない。この折りたたみ手順と操作方法は非常に不便で、足で力いっぱい上向きに折りたたみセットを起こす時、靴を傷めたり足の甲の皮膚に怪我をする可能性がある。【解決手段】本考案のバギーの折りたたみ構造には、下骨組２の座席下方に握り６が設置されており、握りによって連動部品で駆動セット５を接続し、駆動セットによって後折りたたみセットを駆動して、バギー骨組１０を縦向き及び横向きに折りたたみ、操作者が直接該握りを引っ張り、勢いでバギー骨組を起こすことができるようにし、折りたたみを便利にする。【選択図】図１
0003109740.tif 000002
【実用新案登録請求の範囲】
【請求項１】
バギーの骨組の折りたたみを制御し、展開状態及び折りたたんだ状態を呈することができるようにし、折りたたんだ時には、バギーの骨組の左側の骨組と右側の骨組が同時に横向きと縦向きに移動することができるようにするバギーの折りたたみ構造で、その構造には、上骨組と下骨組で関節組を接続し該上骨組と該下骨組で縦向きに折りたたむことができる接続関係を形成する前側骨組、上端が該前側骨組につながる後側骨組、該前側骨組と該後側骨組の間をつないで骨組を展開する時に該前側骨組と該後側骨組を展開し該骨組を折りたたむ時に該前側骨組を該後側骨組を連動させ互いにくっつきあうことができるようにする接続棒、該後側骨組の下方につながり該骨組を展開する時は左右両側の骨組を展開して位置決めを形成し該骨組を折りたたむ時は該左右両側骨組を連動させ互いにくっつきあうことができるようにする後折りたたみセット、下骨組に設置され該後折りたたみセットを駆動し後折りたたみセットが折りたたみ状態を呈することができるようにする駆動セット、及び該下骨組につながり連動部品と該後折りたたみセットによって接続し握りによって該連動部品を通じて動かし該駆動セットに後折りたたみセットを駆動させ折りたたみ状態を呈することができるようにし該左右両側骨組を互いに横向きにくっつきあって折りたたむことができるようにする握りが含まれることを特徴とするバギーの折りたたみ構造。
【請求項２】
請求の範囲請求項１に述べたバギーの折りたたみ構造で、該駆動セットに回すレバー、滑りが含まれたもので、該回すレバーは動かすことができる方法で該後折りたたみセットにつなげられ該後折りたたみセットを動かし折りたたみ状態を呈することができるようにし、該滑りは滑ることができる方法で接続管につながり該滑りの滑りによって該回すレバーを駆動して動かし弾性素子によって往復移動させることができるもの。
【請求項３】
請求の範囲請求項２に述べたバギーの折りたたみ構造で、該連動部品が該握りと該滑りの間に接続されたもの。
【請求項４】
請求の範囲請求項２に述べたバギーの折りたたみ構造で、該滑りに斜面を呈す頂推し部が設けられ、該頂推し部によって該滑りを移動させる時に推して動かすもの。
【請求項５】
請求の範囲請求項１に述べたバギーの折りたたみ構造で、該上骨組に両側にそれぞれ置かれた手押し棒が含まれ、該上関節が該手押し棒の下端に接続されているもの。
【請求項６】
請求の範囲請求項１に述べたバギーの折りたたみ構造で、該下骨組に互いにつながりそれぞれ置かれた両側の一対の前脚管、前脚管と後脚管をつなぐ接続管、左右の両側の骨組の間をつなぐ交叉管、及び後脚管の間につながる支え組が含まれ、また該下骨組の左右両側の骨組の間に座席部が形成され乳幼児を乗せることができるもの。
【請求項７】
請求の範囲第１項に述べたバギーの折りたたみ構造で、該連動部品を撓性線にすることができるもの。
【請求項８】
請求の範囲請求項１に述べたバギーの折りたたみ構造で、該握りが両接続管の間に置かれたもの。
【請求項９】
主にバギーの骨組を制御し、展開状態及び折りたたみ状態を呈するようにし、該バギー骨組の左側骨組と右側骨組が同時に横向きと縦向きの移動をできるようにするバギーの折りたたみ構造で、その構造には、上骨組の下端に上関節が設置され上関節にはひっかけ部があり下骨組が該上関節とつながり上端に往復移動することができるひっかけ部品が設置され該ひっかけ部品とひっかけ部の固定によって上骨組と下骨組が骨組の展開状態を形成できるようにし該ひっかけ部品が該ひっかけ部から外れる時に該上骨組と下骨組が縦向きに折りたためる接続関係を形成する前側骨組、上端が該前側骨組につながる後側骨組、該前側骨組と該後側骨組の間をつないで骨組を展開する時に該前側骨組と該後側骨組を展開し該骨組を折りたたむ時に該前側骨組を該後側骨組を連動させ互いにくっつきあうことができるようにする接続棒、該左側骨組と該右側骨組の間につながり該交叉管が該骨組が開いた時に左右両側の骨組を展開し該骨組を折りたたむ時に左右両側の骨組を連動させ互いに横向きにくっつきあうことができるようにする一対の交叉管、該後側骨組の下方につながり該骨組を展開する時は左右両側の骨組を展開して位置決めを形成し該骨組を折りたたむ時は該左右両側骨組を連動させ互いにくっつきあうことができるようにする後折りたたみセット、該下骨組に設置され該後折りたたみセットを駆動し折りたたみ状態を呈することができるようにする駆動セット、該下骨組につながり連動部品によってそれぞれ振り棒と該駆動セットと該ひっかけ部品の間を接続する一対の振り棒、及び該振り棒の間につながり操作者が握りを引っ張ると該振り棒及び該連動部品によって該ひっかけ部品を動かし該ひっかけ部を外すと同時に該駆動セットに該後折りたたみセットを動かさせ該バギー骨組が前後方向及び横向きにくっつきあって折りたたむことができるようにする握りが含まれることを特徴とするバギーの折りたたみ構造。
【請求項１０】
請求の範囲請求項９に述べたバギーの折りたたみ構造で、該振り棒が該接続管の前端につながれているもの。
【請求項１１】
請求の範囲請求項９に述べたバギーの折りたたみ構造で、該駆動セットに回すレバー及び滑りが含まれたもので、該回すレバーは動かすことができる方法で該後折りたたみセットにつなげられ該後折りたたみセットを動かし折りたたみ状態を呈することができるようにし、該滑りは滑ることができる方法で接続管につながり該滑りの滑りによって該回すレバーを駆動して動かし弾性素子によって往復移動させることができるもの。
【請求項１２】
請求の範囲請求項９項に述べたベビーカーの折りたたみ構造で、該連動部品が撓性線であるもの。
【請求項１３】
請求の範囲請求項９項に述べたベビーカーの折りたたみ構造で、該連動部品が、それぞれ該ひっかけ部品、該滑り、該振り棒の間につながれているもの。
【考案の詳細な説明】
【技術分野】
【０００１】
本考案は、操作者が握りを引っ張ることによってバギーの骨組を折りたたむための、バギーの骨組の座席下方または前方に設置された握り、握りと駆動セットの間を接続する連動部品などのバギーの折りたたみ構造に関するものである。
【背景技術】
【０００２】
乳母車は、幼児のために設計された負荷移動道具である。従来の乳母車には、運送中または収納時に、乳母車の車体の体積を減少させることができる、折りたたみ式の構造のものがあり、市販されている折りたたみ式乳母車の製品は、現在各種多様な独特のデザインのものがある。これらは、折りたたみ状態によって、ベビーカーとバギーの２種類に分けることができる。そのうちバギーは、一対の下交叉管及び一対の後交叉管を利用して車体の骨組を構成し、両側の骨組は雨傘のように折りたたむことができるもので、主な目的は車体を運搬し移動する時、または収納する時に体積を減少させることである。前述のバギーを折りたたむ時、骨組の後側の下方の折りたたみセットを利用してバギーの骨組の折りたたみを制御することがよくある。
【考案の開示】
【考案が解決しようとする課題】
【０００３】
周知の折りたたみセットは、主に一対の鉄片及び留め金を利用して構成されている。折りたたみセットは、骨組を展開する際に、留め金を利用して該鉄片を留め、支えの骨組を展開した状態に固定し、折りたたむ際には、足で操作し、力いっぱい上向きに折りたたみセットを起こして、骨組を折りたたみできる状態にしなければならず、その時、操作者はハンドルの管も押さなければ、骨組を徹底した折りたたみ状態にすることはできない。この折りたたみ手順と操作方法は非常に不便で、足で力いっぱい上向きに折りたたみセットを起こす時、靴を傷めたり足の甲の皮膚に怪我をする可能性がある。
【課題を解決するための手段】
【０００４】
上述の周知のバギーがもつ折りたたみの不便さ、体積の大きさ、折りたたみ時に操作者の靴や足の甲を傷めやすいなどの欠点を解決するため、本考案では、下骨組の座席の下方に握りを設置し、握りが連動部品で駆動セットに接続し、該駆動セットによって後折りたたみセットを駆動することによって、バギーの骨組を縦向き及び横向きに折りたたみできるようにし、操作者が便利に直接該握りを引っ張り、その勢いでバギーの骨組を起こすことができるようにしている。
【考案の効果】
【０００５】
本考案は、座席下方の握り操作を利用しており、安全なだけでなく、同時に握りによって折りたたみ後のバギー骨組を起こすことができ、操作はさらに便利になっている。
【考案を実施するための最良の形態】
【０００６】
本考案のその他の目的とさらに進んだ適用の範疇については、下記の詳細な敘述からはっきりと知ることができる。しかし、本考案の精神と範疇において行われる各種の変更と修正は、この業界における専門家にとって、これらの詳細な説明及び図面によって充分はっきりと知ることができ、これらの詳細な敘述と、示された実施例は説明のためだけに用いるものであり、これらの詳細な説明と図面は本考案を制限するものであってはならない。
【実施例】
【０００７】
図１、図６、図１０に示すとおり、本考案で実施するバギーの折りたたみ構造は、主に座席の下方または前方の位置に握りを設置し、操作者が直接該握りによってバギー骨組を折りたたみ、便利な折りたたみ及び安全な効果を提供するものである。そのうちバギー骨組１０は、前側骨組１０１及び後側骨組１０２からなる。該後側骨組１０２には一対の後脚管２２があり、前側骨組１０１には上骨組１及び下骨組２がある。上骨組１には一対のそれぞれ両側に置かれた手押し棒１１があり、該手押し棒１１の下側には上関節１２が接続されている。図１０に示すとおり、下骨組２と上骨組１のつながりには、一対の前脚管２１、接続管２３、交叉管２６及び後折りたたみセット４が含まれ、下骨組２の左右両側の骨組２４、２５の間で座席部３を形成しており、該前脚管２１の上端は上骨組１の上関節１２とつながり、該後脚管２２の上端は手押し棒１１とつながっており、接続管２３及び交叉管２６を前後脚管２１、２２の間でつなぎ、バギー骨組１０を展開できるようにしており、該バギー骨組１０を折りたたむ時は、該接続管２３によって前側骨組１０１及び後側骨組１０２の前後脚管２１、２２を動かし、互いにくっつきあわせ、該交叉管２６を利用して、左右両側の骨組２４、２５を中央に向けて横にくっつきあわせ折りたたむ。図２と図３に示すとおり、後折りたたみセット４は後脚管２２の間につながり、横向きに展開して固定するか、左右両側の骨組２４、２５を折りたたみ、一対の上折りたたみ片４１、下折りたたみ片４２、連動片４３及び接続片４４、スリップ４５及びペダル４６が含まれ、該上下折りたたみ片４１、４２は、それぞれ後脚管２２につながり、該接続片４４は上下折りたたみ片４１、４２の間に接続し、スリップ４５は該接続片４４の間を滑って動くことができる。連動片４３の一端は、スリップ４５につながり、もう一端は下折りたたみ片４２につながり、バギー骨組１０を展開する時に、該接続の上下折りたたみ片４１、４２はすでに回転固定点を通過しているため、該後折りたたみセット４はバギー骨組１０を展開し、固定して展開使用状態を呈することができ、バギー骨組１０を折りたたむ時は、該連動片４３を押して動かし、スリップ４５が連動片４３を動かして下向きに移動するようにすることによって、左右両側の骨組２４、２５を引っ張り、互いに横向きに折りたたみ、くっつきあうようにする。図４から図５に示すとおり、駆動セット５を下骨組２と該後折りたたみセット４の間に設置することによって該後折りたたみセット４を駆動し、後折りたたみセット４が回転固定点を通過させて、バギー骨組１０を折りたたみ、該駆動セット５には回すレバー５１、滑り５２及び弾性素子５３が含まれ、該回すレバー５１は揺れ動きながら該後折りたたみセット４の上折りたたみ片４１上につなぐことができ、該回すレバー５１の一端は自由端５１１で、該スリップ５２の上方に位置しており、また該滑り５２は滑り動きながら接続管２３の後側に設置することができ、該滑り５２には斜面を呈する頂推し部５２１が含まれ、滑り５２が移動する時に、該頂推し部５２１が回すレバー５１のもう一端を押すことによって、回すレバー５１を揺り動かし、その自由端５１１がスリップ４５を動かすようにし、スリップ４５を下向きに移動させ、後折りたたみセット４が折りたたみ可能な状態を呈するようにし、該滑り５２は、弾性素子５３によって、元の位置に戻る。図１のとおり、本実施例の握り６は、下骨組２の座席３の下方または前方に設置されており、連動部品６１を該握り６と滑り５２の間に接続し、操作者は該握り６を引っ張ることによって、連動部品６１を通じ、滑り５２を駆動して移動させ回すレバー５１を押し、回すレバー５１を利用して下向きにスリップ４５を押し、後折りたたみセット４が折りたたみ可能な状態を呈することができるようにし、操作者は該握り６を引っ張り続け、各管部品の互いの接続関係によって、バギー骨組１０が縦向き及び横向きに折りたたみくっつきあうようにする。また、図８に示すとおり、本実施例では両側の接続管２３の間に一対の振り棒７をつなぎ、連動部品６１の両端をそれぞれ滑り５２と該振り棒７の間に接続し、また該振り棒７の間に握り６を設置して、操作者が握り６によって片手で該振り棒７を引っ張り回転させることができるようにし、滑り５２を引っ張って回すレバー５１を動かし、該回すレバー５１によって後折りたたみセット４を押し上げて折りたたみできる状態を形成し、さらに該握り６の力の方向は、振り棒７及び骨組１０の折りたたみ方向と同じであるため、操作者は該握り６を引っ張ってバギー骨組１０を折りたたむことができ、該握り６によって該バギー骨組１０を持ち上げることができる。
【０００８】
図７、図９に示すように、本考案の実施例に基づけば、バギー骨組が別途上関節１２内にひっかけ部１２１を設置できるようにすることができ、前脚管２１の上端に設置して往復移動することができ、該上関節１２のひっかけ部１２１で固定したひっかけ部品２１１が、その上骨組１と下骨組２を展開した時に、先の実施例の後折りたたみセット４に合わせ、バギー骨組１０を展開し、使用状態に固定することができる。一対の振り棒７は、該接続管２３につながれ、該振り棒７の間に握り６を接続し、さらに３本の接続部品６１によって、その一端は振り棒７に接続され、もう一端はそれぞれ前脚管２１の上端も置かれたひっかけ部品２１１、及び駆動セット５の滑り５２に接続される。上述の構造部品によって、操作者が骨組１０を折りたたむ時に、直接該握り６を引っ張って、該振り棒７を揺り動かすことができ、連動部品６１がそれぞれ両側のひっかけ部品２１１を引っ張って上関節１２のひっかけ部１２１を外すと同時に、該滑り５２は回すレバー５１を駆動し、後折りたたみセット４を押して折りたたみできる状態を呈すようにし、操作者が直接該握り５を引っ張ることによって該乳母車のバギーの骨組が、縦向き及び横向きに折りたためるようにする。
【図面の簡単な説明】
【０００９】
【図１】本考案の立体構造見取り図
【図２】本考案の後折りたたみセット見取り図。
【図３】本考案の後折りたたみセットの折りたたみ時の動作見取り図。
【図４】本考案の駆動セット構造部品分解見取り図。
【図５】本考案の駆動セットの動作見取り図。
【図６】本考案の折りたたみの動作見取り図。
【図７】本考案の第二実施例の上関節とひっかけ部品の動作見取り図。
【図８】本考案の駆動セットの動作見取り図。
【図９】本考案の第二実施例の立体骨組の構造見取り図。
【図１０】本考案の骨組の折りたたみ後の見取り図。
【符号の説明】
【００１０】
１: 上骨組
１０: バギー骨組
１０１: 前側骨組
１０２: 後側骨組
１１: 手押し棒
１２: 上関節
１２１: ひっかけ部
２: 下骨組
３: 座席部
２１: 前脚管
２１１: ひっかけ部品
２２: 後脚管
２３: 接続管
２４: 左側骨組
２５: 右側骨組
２６: 交叉管
４: 後折りたたみセット
４１: 上折りたたみ片
４２: 下折りたたみ片
４３: 連動片
４４: 接続片
４５: スリップ
４６: ペダル
５: 駆動セット
５１: 回すレバー
５１１: 自由端
５２: 滑り
５２１: 頂推し部
５３: 弾性素子
６: 握り
６１: 連動部品
７: 振り棒
【図１】
0003109740.tif 000003
【図２】
0003109740.tif 000004
【図３】
0003109740.tif 000005
【図４】
0003109740.tif 000006
【図５】
0003109740.tif 000007
【図６】
0003109740.tif 000008
【図７】
0003109740.tif 000009
【図８】
0003109740.tif 000010
【図９】
0003109740.tif 000011
【図１０】
0003109740.tif 000012